(57)【要約】【課題】荷物があっても不必要時は座席の背面に添って容易に収納することができ、大型の荷物であってもその荷物を容易に出し入れできる車両用カバー装置を提供する。【解決手段】カバー本体13を、車両11の座席14の後方スペースを覆う姿勢と、座席14の背面に添って収納される姿勢との間で可動的に設ける。座席14の背面に、２本のレール15を上下方向に平行に設ける。これらのレール15にランナ16を、それぞれ摺動自在に嵌合する。これらのランナ16は、座席14の後方スペースを覆う姿勢で各レール15と対向するカバー本体13の縁辺部13aに取り付ける。【選択図】図１
2015058806.tif 000002
【特許請求の範囲】
【請求項１】
車両の座席の後方スペースを覆う姿勢と座席の背面に添って収納される姿勢との間で可動的に設けられたカバー本体と、
座席の背面に上下方向に設けられた複数のレールと、
これらのレールに摺動自在に嵌合されるとともに座席の後方スペースを覆う姿勢で各レールと対向するカバー本体の縁辺部に取り付けられた複数のランナと
を具備したことを特徴とする車両用カバー装置。
【請求項２】
ランナは、カバー本体の縁辺部に沿ってこの縁辺部に縫製糸により回動自在に取り付けられた回動軸部を一体に備えた
ことを特徴とする請求項１記載の車両用カバー装置。
【請求項３】
カバー本体のランナ取付用の縁辺部とは反対側に取り付けられ、座席の後方スペースを覆う姿勢で車両側に係止されるとともに座席の背面に添って収納された姿勢で座席の上部突起物に係止されるベルト
を具備したことを特徴とする請求項１または２記載の車両用カバー装置。
【発明の詳細な説明】
【技術分野】
【０００１】
本発明は、いわゆるトノカバーなどと呼称される車両用カバー装置に関する。
【背景技術】
【０００２】
いわゆるトノカバーは、車両ラゲージ部に荷物などの目隠しのために取り付けるカバーであるが、一体型の成形品、巻き取り可能あるいは折り畳み可能なタイプがある。折り畳みタイプのトノカバーは、不必要時に車両から取り外し、折り畳んで収納するが、手間がかかり、また、荷物を取り出す際の対応がなく、取り出し難い。
【０００３】
さらに、一体型の成形品は、荷物を取り出す際の対応として、車両バックドアと連動して上に跳ね上げているが、ゴルフバッグなどの長尺物の収納時にはトノカバーを取り外す必要があり、その取り外したトノカバーの収納場所は考慮されていない。
【０００４】
また、車両リヤシートのシートバック背面にトノカバー本体を収納するトノカバーとして、トノカバー本体に設けられた支軸を中心にトノカバー本体を回動して、シートバック背面に添わせるように収納する車両用トノカバーがある（例えば、特許文献１参照）。
【先行技術文献】
【特許文献】
【０００５】
【特許文献１】特開２００９−２７４５７９号公報
【発明の概要】
【発明が解決しようとする課題】
【０００６】
特許文献１の車両用トノカバーは、車両ラゲージ部に荷物がない場合は、シートバック背面に収納することができるものの、車両ラゲージ部に荷物がある場合は、この荷物が障害となって、シートバック背面に収納することができない問題がある。
【０００７】
本発明は、このような点に鑑みなされたもので、荷物があっても不必要時は座席の背面に添って容易に収納することができ、大型の荷物であってもその荷物を容易に出し入れできる車両用カバー装置を提供することを目的とする。
【課題を解決するための手段】
【０００８】
請求項１に記載された発明は、車両の座席の後方スペースを覆う姿勢と座席の背面に添って収納される姿勢との間で可動的に設けられたカバー本体と、座席の背面に上下方向に設けられた複数のレールと、これらのレールに摺動自在に嵌合されるとともに座席の後方スペースを覆う姿勢で各レールと対向するカバー本体の縁辺部に取り付けられた複数のランナとを具備した車両用カバー装置である。
【０００９】
請求項２に記載された発明は、請求項１記載の車両用カバー装置におけるランナが、カバー本体の縁辺部に沿ってこの縁辺部に縫製糸により回動自在に取り付けられた回動軸部を一体に備えたものである。
【００１０】
請求項３に記載された発明は、請求項１または２記載の車両用カバー装置において、カバー本体のランナ取付用の縁辺部とは反対側に、座席の後方スペースを覆う姿勢で車両側に係止されるとともに座席の背面に添って収納された姿勢で座席の上部突起物に係止されるベルトを取り付けたものである。
【発明の効果】
【００１１】
請求項１記載の発明によれば、座席の背面に上下方向に設けられた複数のレールに、座席の後方スペースを覆う姿勢で各レールと対向するカバー本体の縁辺部に取り付けられた複数のランナを摺動自在に嵌合したので、カバー本体の不必要時は、カバー本体を取り外すことなく、各レールの案内による各ランナの円滑な滑り動作により、座席の背面に添う位置までカバー本体を容易に収納することができ、その際、座席の後方スペースに荷物があっても、その荷物の上側から座席の背面へ回り込むようにしてカバー本体を荷物の邪魔にならない少スペースに収納できるとともに、その荷物が大型の荷物であっても、その荷物を容易に出し入れできる。
【００１２】
請求項２記載の発明によれば、カバー本体の縁辺部に沿ってこの縁辺部にランナの回動軸部を縫製糸により取り付けたので、カバー本体とランナとの連結部分を安価で簡易な構造とすることができる。
【００１３】
請求項３記載の発明によれば、カバー本体のランナ取付用の縁辺部とは反対側に取り付けられたベルトを、座席の後方スペースを覆う姿勢で車両側に係止するとともに、座席の背面に添って収納された姿勢で座席の上部突起物に係止するので、簡易なベルト掛け構造によって、これらの２姿勢をそれぞれ保持できる。
【図面の簡単な説明】
【００１４】
【図１】本発明に係る車両用カバー装置の一実施の形態を示す正面側からの斜視図である。
【図２】同上カバー装置のレール装着状態を示す斜視図である。
【図３】同上カバー装置のレール・ランナ嵌合構造を示す断面図である。
【図４】同上カバー装置のレール上端部を示す拡大斜視図である。
【図５】同上カバー装置のカバー本体収納時の動作を示す斜視図であり、（ａ）はカバー装着時、（ｂ）はカバー収納途中、（ｃ）はカバー収納完了状態を示す。
【発明を実施するための形態】
【００１５】
以下、本発明を、図１乃至図５に示された一実施の形態に基いて詳細に説明する。
【００１６】
図１は、ハッチバック車の車両11に適用された車両用カバー装置12を示し、ボード型のカバー本体13が、以下に説明するように、車両11の後部座席（以下、単に座席14という）の後方スペースを覆う姿勢（図５（ａ）に示す姿勢）と、座席14の背面に添って収納される姿勢（図５（ｃ）に示す姿勢）との間で可動的に設けられている。
【００１７】
図１および図２に示されるように、座席14の背面には、２本のレール15が上下方向に平行に設けられている。
【００１８】
図３および図４に示されるように、これらのレール15にランナ16が、それぞれ摺動自在に嵌合されている。これらのランナ16に、座席14の後方スペースを覆う姿勢で各レール15と対向するカバー本体13の縁辺部13aが、それぞれ回動自在に取り付けられている。
【００１９】
各レール15の断面は、レール本体21の裏面側に治具嵌着凹部22が開口するように設けられ、この治具嵌着凹部22に対して隔壁部23を介してランナ嵌合溝部24が設けられ、このランナ嵌合溝部24の中央部からレール本体21の表面に向かって、ランナ突出スリット25がレール本体21の全長にわたって開口された一体成形品である。
【００２０】
これらのレール15は、図３に示されるように座席14の背面構成部材26にねじ27で取り付けられたレール固定治具28に上記治具嵌着凹部22を嵌着することで、レール本体21が固定され、図４に示されるようにレール本体21の上下端部に嵌着固定されたキャップ29により、レール本体21内に挿入されたランナ16の脱落を防止している。
【００２１】
ランナ16は、レール15のランナ嵌合溝部24内に摺動自在に嵌合されたランナ本体31に、連結部32を介して角枠形状の取付部33が一体に成形されている。この取付部33には、カバー本体13の縁辺部13aに沿ってこの縁辺部13aの芯材に縫製糸34により取り付けられた回動軸部35が一体成形されている。この回動軸部35は、カバー本体13の縁辺部13aに沿った直線状であって、かつ丸形断面に形成されているので、縫製糸34の中で回転軸として機能する。
【００２２】
図５に示されるように、カバー本体13のランナ取付用の縁辺部13aとは反対側の左右側面部に、ベルト36がそれぞれ取り付けられている。これらのベルト36は、図５（ａ）に示されるようにカバー本体13が座席14の後方スペースを覆う姿勢で車両11側に取り付けられた金具37に止めることができるホックなどの金具38を中ほどに有するとともに、図５（ｃ）に示されるようにカバー本体13が座席14の背面に添って収納された姿勢で座席14の上部に突出されたリヤシート可倒フックなどの上部突起物39に引っ掛けることができるように無端状に設けられている。
【００２３】
次に、図示された実施の形態の取付方法および作用効果を説明する。
【００２４】
図２に示されるように座席14の背面に間隔をあけて配置した２本のレール15を上下方向に平行に取り付け、これらのレール15に対応させて、図３に示されるようにカバー本体13の縁辺部13aの芯材に縫製糸34により２個のランナ16を取り付け、これらのランナ16を各レール15に摺動自在に嵌合して、キャップ29により抜止する。
【００２５】
そして、トノカバーとして用いるときは、図１または図５（ａ）に示されるように、ランナ16をレール15の最上部までスライドさせたカバー本体13の姿勢で、ベルト36の金具38を車両11側の金具37に止める。
【００２６】
また、トノカバーとして不要なカバー収納時や、大型の荷物を出し入れする場合は、ランナ16を図５（ｂ）に示されるようにレール15に沿って下降させ、図５（ｃ）に示されるようにカバー本体13をシートバック背面に添わせるように収納し、カバー本体13に取り付けられたベルト36をリヤシート可倒フックなどの上部突起物39に引っ掛けてカバー本体13を固定する。
【００２７】
上記カバー収納時は、レール15に対するカバー本体13の角度は変化するが、レール15に対するランナ16の角度はほぼ一定に規制されているので、カバー本体13に対するランナ16の角度変化は、縫製糸34内の回動軸部35の回動により吸収する。
【００２８】
このように、座席14の背面に上下方向に設けられた複数のレール15に、座席14の後方スペースを覆う姿勢で各レール15と対向するカバー本体13の縁辺部13aに取り付けられた複数のランナ16を、摺動自在に嵌合したので、カバー本体13の不必要時は、カバー本体13を取り外すことなく、各レール15の案内による各ランナ16の円滑な滑り動作により、座席14の背面に添う位置までカバー本体13を容易に収納することができ、その際、座席14の後方スペースに荷物があっても、その荷物の上側から座席の背面へ回り込むようにしてカバー本体13を荷物の邪魔にならない少スペースに収納できるとともに、その荷物がゴルフバッグなどの大型の荷物であっても、その荷物を容易に出し入れできる。
【００２９】
また、カバー本体13の縁辺部13aに沿ってこの縁辺部13aの芯材にランナ16の回動軸部35を縫製糸34により取り付けたので、カバー本体13とランナ16との連結部分を安価で簡易な構造とすることができる。
【００３０】
カバー本体13のランナ取付用の縁辺部13aとは反対側に取り付けられたベルト36を、座席14の後方スペースを覆う姿勢で車両11側に係止するとともに、座席14の背面に添って収納された姿勢で座席14の上部突起物39に係止するので、簡易なベルト掛け構造によって、これらの２姿勢をそれぞれ保持できる。
【００３１】
なお、この車両用カバー装置12は、バンやワゴン車にも適用できることは、言うまでもない。
【産業上の利用可能性】
【００３２】
本発明は、車両用カバー装置の製造、販売などに係わる事業者にとって、産業上の利用可能性がある。
【符号の説明】
【００３３】
11    車両
12    車両用カバー装置
13    カバー本体
13a   縁辺部
14    座席
15    レール
16    ランナ
34    縫製糸
35    回動軸部
36    ベルト
39    上部突起物
【図１】
2015058806.tif 000003
【図２】
2015058806.tif 000004
【図３】
2015058806.tif 000005
【図４】
2015058806.tif 000006
【図５】
2015058806.tif 000007